(57)【要約】【課題】  購入依頼者への納品通知および納品物の受取りを確実かつ迅速に処理することのできる納品システム、納品処理装置、及び納品処理プログラムを提供する。【解決手段】  物品に添付されているＩＣタグに記憶された納品情報を読み取り納品処理装置のメモリに記録する納品情報記録部と、上記メモリに記録された納品情報に基づき購入依頼者の端末に納品通知を送信する納品通知送信部と、納品通知を受け取った購入依頼者の端末からの、物品を受け取りに行く旨の受信確認応答を受信する応答受信部と、操作に応じて、受取人の識別情報を入力し、該識別情報を人事マスタに登録されている人事情報と照合することにより該受取人の個人認証を行う個人認証部と、認証が得られた場合に該物品の受取りが完了した旨を上記メモリに記録するとともに、該受取人の端末に検収依頼を送信する検収依頼送信部とを備えた。【選択図】        図３
2008052339.tif 000002
【特許請求の範囲】
【請求項１】
人事情報が登録された人事マスタを有するサーバ、および
通信回線を介して前記サーバに接続された、
物品に添付されているＩＣタグに記憶された該物品の購入依頼者を含む該物品の納品に関する納品情報を読み取り所定のメモリに記録する納品情報記録部と、
前記メモリに記録された納品情報に基づき該物品の購入依頼者の端末に納品通知を送信する納品通知送信部と、
前記納品通知を受け取った購入依頼者の端末から受信確認応答を受信する応答受信部と、
受取人の識別情報を取得し、該識別情報を、前記人事マスタに登録されている人事情報と照合することにより該受取人の個人認証を行う個人認証部と、
前記個人認証部による認証が得られた場合に該物品の受取りが完了した旨を前記メモリに記録するとともに、該受取人の端末に該物品の検収依頼を送信する検収依頼送信部とを有するクライアントを備えたことを特徴とする納品システム。
【請求項２】
前記納品通知送信部は、該納品通知送信部が前記購入依頼者の端末に納品通知を送信してから所定時間以内に、前記応答受信部への該納品通知に対する受信確認応答がなかった場合、または、該受信確認応答があっても、前記納品通知送信部が該購入依頼者の端末に納品通知を送信してから所定時間以内に、前記個人認証部による該購入依頼者の認証が得られなかった場合には、該購入依頼者の端末に該納品通知を送信するものであることを特徴とする請求項１記載の納品システム。
【請求項３】
前記人事マスタは、該購入依頼者の属するグループの構成員に関する人事情報をも記憶するものであり、
前記納品通知送信部は、該納品通知送信部が前記購入依頼者の端末に納品通知を送信してから所定時間以内に、前記応答受信部への該納品通知に対する受信確認応答がなかった場合、又は、該受信確認応答があっても、前記納品通知送信部が該購入依頼者の端末に納品通知を送信してから所定時間以内に、前記個人認証部による該購入依頼者の認証が得られなかった場合には、前記人事マスタに記憶されている該購入依頼者の属するグループの構成員のうちの、該購入依頼者と該購入依頼者以外の少なくとも一人の構成員とを含む所定の複数の構成員の各端末に納品通知を送信するものであることを特徴とする請求項１記載の納品システム。
【請求項４】
物品に添付されているＩＣタグに記憶された該物品の購入依頼者を含む該物品の納品に関する納品情報を読み取り所定のメモリに記録する納品情報記録部と、
前記メモリに記録された納品情報に基づき該物品の購入依頼者の端末に納品通知を送信する納品通知送信部と、
前記納品通知を受け取った購入依頼者の端末からの受信確認応答を受信する応答受信部と、
受取人の識別情報を取得し、該識別情報を、通信回線を介して接続されたサーバに備えられた人事マスタに登録されている人事情報と照合することにより該受取人の個人認証を行う個人認証部と、
前記個人認証部による認証が得られた場合に該物品の受取りが完了した旨を前記メモリに記録するとともに、該受取人の端末に該物品の検収依頼を送信する検収依頼送信部とを有することを特徴とする納品処理装置。
【請求項５】
コンピュータを、
物品に添付されているＩＣタグに記憶された該物品の購入依頼者を含む該物品の納品に関する納品情報を読み取り所定のメモリに記録する納品情報記録部と、
前記メモリに記録された納品情報に基づき該物品の購入依頼者の端末に納品通知を送信する納品通知送信部と、
前記納品通知を受け取った購入依頼者の端末から受信確認応答を受信する応答受信部と、
受取人の識別情報を取得し、該識別情報を、通信回線を介して接続されたサーバに備えられた人事マスタに登録されている人事情報と照合することにより該受取人の個人認証を行う個人認証部と、
前記個人認証部による認証が得られた場合に該物品の受取りが完了した旨を前記メモリに記録するとともに、該受取人の端末に該物品の検収依頼を送信する検収依頼送信部とを有する納品処理装置として動作させることを特徴とする納品処理プログラム。
【発明の詳細な説明】
【技術分野】
【０００１】
本発明は、購入依頼に基づき納入された物品の納品処理を行う納品システム、納品処理装置、および納品処理プログラムに関する。
【背景技術】
【０００２】
従来、商取引における納品処理には紙伝票が広く用いられている。しかし、最近は、紙伝票を用いないペーパーレス方式の電子納品システムが普及しつつある。
【０００３】
通常の納品処理では、例えば、物品を納入する業者がバーコードが印刷された第１の紙媒体である納品伝票を納品物とともに指定の受渡場所に持参し、購入側の資材部門の担当者がその納品伝票のバーコードを読み取り、第２の紙媒体である検収伝票を起票するとともに購入依頼者に依頼の物品が納品された旨を通知し、購入依頼者又はその代理人が受渡場所に物品を受け取りにいき、その物品を受け取って伝票処理を行ないその物品を持ち帰ることにより納品処理は終了する。次に、購入依頼者による物品の内容の確認が行われ物品の内容に問題が無ければ検収処理が行われることとなる。
【０００４】
このように、従来の納品処理では紙媒体が用いられているので紙資源が無駄に消費されるという問題がある。
【０００５】
また、資材部門の担当者から購入依頼者への納品通知は電話又は電子メールにより行われることが多いが、購入依頼者が出張や休暇等で不在の場合は本人には納品通知は届かない。その場合には購入依頼者の属するグループの構成員の端末に納品通知されることになる。
【０００６】
こうして納品通知が行われても購入依頼者又はその代理人が物品を直ぐに受け取りに行かないことがあり、そのたあめ、物品の受け渡し処理が滞り、資材部門における物品管理上問題となることが多い。
【０００７】
また、購入依頼者の属するグループの構成員の数が多い場合には、購入依頼者が不在のときに、その多数の構成員のうちの誰に連絡するかを決めるのに手間取ることがあり、複数の人に連絡したのでは、複数の人が物品の受取りに来る恐れがあり、労力の無駄が生じる。
【０００８】
また、資材部門で納品物を受取人に引き渡す際に、その受取人が正当な受取人であるか否かを確かめる手段が確立されていない場合にはその物品が購入依頼者の手に渡らない恐れがあり、物品管理上問題を起こすこととなる。
【０００９】
そこで、例えば、納品現場に設けられその納品現場を識別しうる現場ＩＤを記録した現場識別手段と、伝票に設けられその発注を識別しうる発注ＩＤを記録した発注識別手段と、上記現場ＩＤと発注ＩＤとを関連づけて格納するサーバと、前記現場ＩＤと発注ＩＤとを入力する配送端末と、前記サーバと前記配送端末とを接続する通信回線とを備え、上記サーバは、上記配送端末から送信された現場ＩＤと発注ＩＤとを照合し、照合結果を上記配送端末に送信するようにした納品システムが開示されている（例えば、特許文献１参照）。
【特許文献１】特開２００５−２６３３９９号公報
【発明の開示】
【発明が解決しようとする課題】
【００１０】
しかし、上記特許文献１に開示された納品システムは、物品の現品管理の上では有効であるが、前述のような資材部門から購入依頼者への納品通知に関する問題や納品物受取り時の問題を解決するものではない。
【００１１】
本発明は、上記事情に鑑み、購入依頼者への納品通知および納品物の受取りを確実かつ迅速に処理することのできる納品システム、納品処理装置、および納品処理プログラムを提供することを目的とする。
【課題を解決するための手段】
【００１２】
上記目的を達成する本発明の納品システムは、
人事情報が登録された人事マスタを有するサーバ、および
通信回線を介して上記サーバに接続された、
物品に添付されているＩＣタグに記憶された該物品の購入依頼者を含む該物品の納品に関する納品情報を読み取り所定のメモリに記録する納品情報記録部と、
上記メモリに記録された納品情報に基づき該物品の購入依頼者の端末に納品通知を送信する納品通知送信部と、
上記納品通知を受け取った購入依頼者の端末から受信確認応答を受信する応答受信部と、
受取人の識別情報を取得し、該識別情報を、上記人事マスタに登録されている人事情報と照合することにより該受取人の個人認証を行う個人認証部と、
上記個人認証部による認証が得られた場合に該物品の受取りが完了した旨を上記メモリに記録するとともに、該受取人の端末に該物品の検収依頼を送信する検収依頼送信部とを有するクライアントを備えたことを特徴とする。
【００１３】
本発明の納品システムによれば、購入依頼者への納品通知および納品物の受取りを確実かつ迅速に行うことができる。
【００１４】
ここで、上記納品通知送信部は、該納品通知送信部が上記購入依頼者の端末に納品通知を送信してから所定時間以内に、上記応答受信部への該納品通知に対する受信確認応答がなかった場合、または、該受信確認応答があっても、上記納品通知送信部が該購入依頼者の端末に納品通知を送信してから所定時間以内に、上記個人認証部による該購入依頼者の認証が得られなかった場合には、該購入依頼者の端末に該納品通知を送信するものであってもよい。
【００１５】
本発明の納品システムを上記のように構成した場合は、購入依頼者への納品通知をさらに確実なものとすることができる。
【００１６】
また、上記人事マスタは、上記購入依頼者の属するグループの構成員に関する人事情報をも記憶するものであり、
上記納品通知送信部は、該納品通知送信部が上記購入依頼者の端末に納品通知を送信してから所定時間以内に、上記応答受信部への該納品通知に対する受信確認応答がなかった場合、又は、該受信確認応答があっても、上記納品通知送信部が該購入依頼者の端末に納品通知を送信してから所定時間以内に、上記個人認証部による該購入依頼者の認証が得られなかった場合には、上記人事マスタに記憶されている該購入依頼者の属するグループの構成員のうちの、該購入依頼者と該購入依頼者以外の少なくとも一人の構成員とを含む所定の複数の構成員の各端末に納品通知を送信するものであってもよい。
【００１７】
本発明の納品システムを上記のように構成した場合は、購入依頼者への納品通知をさらに確実に行うことができる。
【００１８】
また、上記応答受信部は、物品の受取予定日時が記録されている受信確認応答を受信するものであり、
上記納品通知送信部は、該納品通知送信部が上記購入依頼者の端末に納品通知を送信してから所定時間以内に、上記応答受信部への該納品通知に対する受信確認応答がなかった場合、又は該受信確認応答があっても、該受信確認応答に記録されている受取予定日時を過ぎても上記個人認証部による該購入依頼者の認証が得られなかった場合には、該購入依頼者の端末に該納品通知を送信するものであってもよい。
【００１９】
本発明の納品システムを上記のように構成した場合は、購入依頼者への納品通知および納品物の受取りを確実かつ効率的に行うことができる。
【００２０】
また、上記人事マスタは、上記購入依頼者の属するグループの構成員に関する人事情報をも記憶するものであり、
上記応答受信部は、物品の受取予定日時が記録されている受信確認応答を受信するものであって、
上記納品通知送信部は、該納品通知送信部が上記購入依頼者の端末に納品通知を送信してから所定時間以内に、上記応答受信部への該納品通知に対する受信確認応答がなかった場合、又は、該受信確認応答があっても、上記個人認証部による該購入依頼者の認証が得られないまま該受信確認応答に記録されている受取予定日時を過ぎた場合には、上記人事マスタに記憶されている該購入依頼者の属するグループの構成員のうちの、該購入依頼者と該購入依頼者以外の少なくとも一人の構成員とを含む所定の複数の構成員の各端末に上記物品が納品された旨の納品通知を送信するものであってもよい。
【００２１】
本発明の納品システムを上記のように構成した場合は、購入依頼者への納品通知および納品物の受取りを確実かつ効率的に行うことができる。
【００２２】
また、上記納品通知送信部は、上記応答受信部が上記複数の構成員のうちの少なくとも一人の構成員の端末からの受信確認応答を受信したときは、該受信確認応答を送信した端末のうちの１台の端末に上記物品の受取りを指示する受取指示を送信するとともに、該複数の構成員のうちの、該１台の端末を除く端末には、該物品の受取不要通知を送信するものであってもよい。
【００２３】
本発明の納品システムを上記のように構成した場合は、購入依頼者への納品通知および納品物の受取りを確実かつ効率的に行うことができる。
【００２４】
また、上記納品通知送信部は、上記個人認証部により、上記１台の端末に対応する構成員についての認証が得られた場合に、該構成員が上記購入依頼者本人である場合には該購入依頼者の端末に上記物品の検収を依頼する旨の検収依頼を送信し、該構成員が該購入依頼者以外の構成員である場合には該構成員の端末と該購入依頼者の端末との双方に該検収依頼を送信するものであってもよい。
【００２５】
本発明の納品システムを上記のように構成した場合は、購入依頼者への納品通知および納品物の受取りを確実かつ効率的に行うことができる。
【００２６】
また、上記納品通知送信部が送信する納品通知、上記応答受信部が受信する受信確認応答、および上記検収依頼送信部が送信する検収依頼が電子メールにより送受信されるものであることが好ましい。
【００２７】
本発明の納品システムを上記のように構成した場合は、購入依頼者への納品通知および納品物の受取りを一層確実かつ迅速に処理することのできる納品システムとすることができる。
【００２８】
また、上記目的を達成する本発明の納品処理装置は、
物品に添付されているＩＣタグに記憶された該物品の購入依頼者を含む該物品の納品に関する納品情報を読み取り所定のメモリに記録する納品情報記録部と、
上記メモリに記録された納品情報に基づき該物品の購入依頼者の端末に納品通知を送信する納品通知送信部と、
上記納品通知を受け取った購入依頼者の端末から受信確認応答を受信する応答受信部と、
受取人の識別情報を取得し、該識別情報を、通信回線を介して接続されたサーバに備えられた人事マスタに登録されている人事情報と照合することにより該受取人の個人認証を行う個人認証部と、
上記個人認証部による認証が得られた場合に該物品の受取りが完了した旨を上記メモリに記録するとともに、該受取人の端末に該物品の検収依頼を送信する検収依頼送信部とを有することを特徴とする。
【００２９】
本発明の納品処理装置によれば、購入依頼者への納品通知および納品物の受取りを確実かつ迅速に処理することのできる納品処理装置を得ることができる。
【００３０】
また、上記目的を達成する本発明の納品処理プログラムは、
コンピュータを、物品に添付されているＩＣタグに記憶された該物品の購入依頼者を含む該物品の納品に関する納品情報を読み取り所定のメモリに記録する納品情報記録部と、
上記メモリに記録された納品情報に基づき該物品の購入依頼者の端末に納品通知を送信する納品通知送信部と、
上記納品通知を受け取った購入依頼者の端末から受信確認応答を受信する応答受信部と、
受取人の識別情報を取得し、該識別情報を、通信回線を介して接続されたサーバに備えられた人事マスタに登録されている人事情報と照合することにより該受取人の個人認証を行う個人認証部と、
上記個人認証部による認証が得られた場合に該物品の受取りが完了した旨を上記メモリに記録するとともに、該受取人の端末に該物品の検収依頼を送信する検収依頼送信部とを有する納品処理装置として動作させることを特徴とする。
【００３１】
本発明の納品処理プログラムによれば、購入依頼者への納品通知および納品物の受取りを確実かつ迅速に処理することのできる納品処理装置をコンピュータ上に容易に構築することができる。
【発明の効果】
【００３２】
本発明によれば、購入依頼者への納品通知および納品物の受取りを確実かつ迅速に処理することのできる納品システム、納品処理装置、および納品処理プログラムを実現することができる。また、紙媒体の納品伝票が不要になるという効果もある。
【発明を実施するための最良の形態】
【００３３】
以下、本発明の実施の形態について説明する。
【００３４】
図１は、本発明の一実施形態としての納品処理装置を構成するコンピュータと、それらの納品処理装置に人事情報を提供するサーバを構成するコンピュータとを含むクライアントアンドサーバシステムを示す全体構成図である。
【００３５】
尚、本発明は購入依頼に基づき納品された物品の納品に関する場面を問題としており、したがってここではサーバにおけるデータベースへのデータ蓄積の場面については説明を省略する。
【００３６】
ここには、納品処理装置として動作する、例示としての３台のコンピュータ１００，２００，３００と、それらのコンピュータ１００，２００，３００に通信回線を介して接続された、サーバとして動作する１台のコンピュータ４００が示されている。
【００３７】
通信回線５００は、本実施形態では、このコンピュータシステムが設置された１つの企業体内部のＬＡＮ（Ｌｏｃａｌ  Ａｒｅａ  Ｎｅｔｗｏｒｋ）であるが、インターネットやＷＡＮ（Ｗｉｄｅ  Ａｒｅａ  Ｎｅｔｗｏｒｋ）等であって、複数の企業体に跨る処理を行なうものであってもよい。
【００３８】
３台のコンピュータ１００，２００，３００には、後述する構成の納品処理プログラムがインストールされており、その納品処理プログラムを実行させることにより各コンピュータ１００，２００，３００は納品処理装置として動作する。
【００３９】
これら３台のコンピュータ１００，２００，３００としては一般にワークステーション又はパーソナルコンピュータと呼ばれるコンピュータを用いることができる。この図１に示すシステムでは、コンピュータ３００には、いわゆるノート型パーソナルコンピュータが用いられている。
【００４０】
また、１台のコンピュータ４００は、大容量の記憶媒体を持ち、その記憶媒体内に、この企業体における人事マスタその他のファイルを含むデータベースを構築し、納品処理装置として動作する各コンピュータ１００，２００，３００からの要請を受けて人事マスタを含むデータベースを検索するサーバとして動作するようになっている。
【００４１】
さらに、上記のコンピュータ１００，２００，３００のうちの、例えばコンピュータ１００には、上記納品処理装置における、納入される物品に添付されているＩＣタグに記憶された該物品の納品情報を読み取る納品情報読取装置１３０が接続されており、また、コンピュータ２００には、上記納品処理装置における、物品を受け取りに来た受取人のＩＤカード１５０から受取人の識別情報を入力する識別情報入力装置１４０が接続されている。
【００４２】
上記の各コンピュータ１００，２００，３００，４００は、ＣＰＵ（中央処理装置）、ＲＡＭ（ランダムアクセスメモリ）、ハードディスク、通信用ボード等が内蔵された本体部１０１，２０１，３０１，４０１、本体部１０１，２０１，３０１，４０１からの指示により表示画面１０２ａ，２０２ａ，３０２ａ，４０２ａ上に画像や文字列を表示するディスプレイ１０２，２０２，３０２，４０２、各コンピュータ１００，２００，３００，４００に利用者の指示を入力するためのキーボード１０３，２０３，３０３，４０３、表示画面１０２ａ，２０２ａ，３０２ａ，４０２ａ上の任意の位置を指定することにより、その指定時にその位置に表示されていたアイコン等に応じた指示を行うポインティングデバイス（コンピュータ１００，２００，４００の場合はマウス１０４，２０４，４０４、コンピュータ３００の場合はトラックパッド３０４）を備えている。
【００４３】
本体部１０１，２０１，３０１，４０１は、さらに、ＭＯ（光磁気ディスク）、ＣＤ／ＤＶＤが装填されるＭＯ装填口１０１ａ，２０１ａ，３０１ａ，４０１ａ、ＣＤ／ＤＶＤ装填口１０１ｂ，２０１ｂ，３０１ｂ，４０１ｂを有しており、それらの内部には、それらの装填口１０１ａ，２０１ａ，３０１ａ，４０１ａ，１０１ｂ，２０１ｂ，３０１ｂ，４０１ｂから装填されたＭＯやＣＤ又はＤＶＤをドライブするＭＯドライブやＣＤ／ＤＶＤドライブも内蔵されている。
【００４４】
図２は、図１に外観を示したコンピュータのハードウェア構成図である。
【００４５】
ここでは代表としてコンピュータ１００を取り上げて説明するが、コンピュータ２００，３００，４００も基本的に同様の構成を有する。
【００４６】
図２のハードウェア構成図には、ＣＰＵ１１１、ＲＡＭ１１２、ハードディスクコントローラ１１３、ＭＯドライブ１１４、ＣＤ／ＤＶＤドライブ１１５、マウスコントローラ１１６、キーボードコントローラ１１７、ディスプレイコントローラ１１８、通信用ボード１１９、および入出力制御ボード１２０が示されており、それらはバス１１０で相互に接続されている。
【００４７】
ＭＯドライブ１１４、ＣＤ／ＤＶＤドライブ１１５は、図１を参照して説明したように、それぞれＭＯ装填口１０１ａおよびＣＤ／ＤＶＤ装填口１０１ｂから装填されたＭＯ６０１、ＣＤ／ＤＶＤ６０２をアクセスするものである。
【００４８】
通信用ボード１１９は通信回線５００に接続される。
【００４９】
入出力制御ボード１２０は２枚備えられており、１枚は納品情報読取装置１３０に接続され、他の１枚は識別情報入力装置１４０に接続されている。識別情報入力装置１４０にはカード挿入孔が設けられており、このカード挿入孔に受取人のＩＤカード１５０を挿通することにより受取人の識別情報が読み取られるようになっている。
【００５０】
また、図２には、ハードディスクコントローラ１１３によりアクセスされるハードディスク６００、マウスコントローラ１１６により制御されるマウス１０４、キーボードコントローラ１１７により制御されるキーボード１０３、およびディスプレイコントローラ１１８により制御されるディスプレイ１０２も示されている。
【００５１】
次に、本発明の納品システム／納品処理装置の各実施形態について説明する。
【００５２】
図３は、図１に示すクライアントアンドサーバシステムを利用した納品システム／納品処理装置の概要図である。
【００５３】
図３に示すように、本実施形態の納品システムは、サーバ４００および通信回線５００を介してサーバ４００に接続されたクライアント（納品処理装置）１００を備えたシステムである。
【００５４】
サーバ４００は、物品の購入を依頼した購入依頼者に関する情報を含む人事情報が登録された人事マスタ４０１を有している。
【００５５】
クライアント（納品処理装置）１００には、納品情報記録部１１、納品通知送信部１２、応答受信部１３、個人認証部１４、および検収依頼送信部１５が備えられている。
【００５６】
納品情報記録部１１は、納品物置場に納入される物品２０（納品物）に添付されているＩＣタグ２１に記憶された物品２０の購入依頼者を含む該物品の納品に関する納品情報を読み取り納品処理装置１００のメモリ（ハードディスク６００：図２参照）に記録するものである。この納品情報の詳細については後述する。
【００５７】
納品通知送信部１２は、上記メモリに記録された納品情報に基づき該物品の購入依頼者の端末に該物品が納品された旨の納品通知を送信するものである。
【００５８】
応答受信部１３は、上記納品通知を受け取った購入依頼者の端末からの、該納品通知に応じて上記物品を受け取りに行く旨の受信確認応答を受信するものである。
【００５９】
個人認証部１４は、操作に応じて、納品物置場に物品を受け取りに来た受取人の識別情報を入力し、該識別情報を、通信回線５００を介して接続されたサーバ４００に備えられた人事マスタ４０１に登録されている、物品の購入を依頼した購入依頼者に関する情報を含む人事情報と照合することにより該受取人の個人認証を行うものである。
【００６０】
検収依頼送信部１５は、上記個人認証部１４による認証が得られた場合に該物品の受取りが完了した旨を上記メモリに記録するとともに、該受取人の端末に該物品の検収を依頼する旨の検収依頼を送信するものである。
【００６１】
この納品処理装置１００には、納入された物品（納品物）２０に添付されているＩＣタグ２１から納品情報を読み取る納品情報読取装置１３０と、物品を受け取りに来た受取人のＩＤカード１５０から受取人の識別情報を入力する識別情報入力装置１４０とが接続されている。
【００６２】
さらに、この納品処理装置１００は、通信回線５００によって、物品の購入を依頼した購入依頼者に関する情報を含む人事情報が登録された人事マスタ４０１を有するサーバ４００と接続されている。
【００６３】
以上の説明では、納品処理装置１００としてコンピュータ１００を取り上げて説明したが、他の、納品処理装置としてのコンピュータ２００，３００も同様である。
【００６４】
これらのコンピュータ１００，２００，３００（図１参照）のハードディスク６００（図２参照）には、後述の納品処理プログラム５０がインストールされており、これらのコンピュータ１００，２００，３００は納品処理装置として動作する。
【００６５】
次に、本発明の第１の実施形態の納品処理システムの動作について説明する。
【００６６】
図４は、本発明の各実施形態の納品処理システムに共通の納品情報を示す図である。
【００６７】
図４には、納入される物品２０（図３参照）に添付されるＩＣタグ２１に記憶された納品情報２２の内容が示されている。
【００６８】
図４に示すように、この納品情報２２には、当該物品の発注者２２ａ、受注者２２ｂ、受渡場所２２ｃ、注文番号２２ｄ、品名２２ｅ，品名コード２２ｆ、出荷日２２ｇ、納入（予定）日２２ｈ、納期２２ｉ、注文数量２２ｊ、納入指示数量２２ｋ、納入数量２２ｌ、数量単位２２ｍ、購入依頼者２２ｎなどの当該物品の納品に関する情報が含まれている。
【００６９】
図５は、本発明の第１の実施形態の納品処理システムの動作の概略を示すフローチャートである。
【００７０】
購入依頼者が購入を依頼した物品２０が、指定された受渡場所２２ｃ（図４参照）に搬入されると、納品処理装置１００（図３参照）の納品情報記録部１１は、納品情報読取装置１３０により物品２０に添付されているＩＣタグ２１（図３参照）から納品情報（図４参照）を読み取り、その納品情報に基づき検収処理用の電子伝票を作成するとともに、納品物置場に仮置きされている納品物に関する情報、すなわち、購入依頼者名、品名、仕様、仮置き棚Ｎｏ．、納品物が既に受取られたか、未だ受け取られていないかなどの情報を所定の納品管理ファイル（図示せず）に記録する（ステップＳ０１）。これらの情報は後述の納品物受取状況画面（図１６参照）に表示される。なお、この納品管理ファイルは、本発明にいうメモリの一例に相当する。
【００７１】
次に、納品通知送信部１２は、上記納品情報（図４参照）に基づき該物品の購入依頼者２２ｎ、すなわち図４に示した例では、“Ａ部）伊藤  博一”に、依頼の物品（物品名：“◎■▽●”）が納品された旨の納品通知を送信する（ステップＳ０２）。納品通知を送信するに際して、次に示す人事マスタが用いられる。
【００７２】
図６は、第１の実施形態の納品処理システムに用いられる人事マスタの内容を示す図である。
【００７３】
この人事マスタ４０１は、図３に示すように、納品処理装置１００と通信回線５００で接続されているサーバ４００内に構築されている。
【００７４】
図６に示すように、この人事マスタ４０１には、所属４０１ａ、氏名４０１ｂ、電子メールアドレス４０１ｃ、電話番号４０１ｄが登録されている。
【００７５】
納品通知送信部１２は、この人事マスタ４０１を参照して上記購入依頼者：“Ａ部）伊藤  博一”の電子メールアドレス：“ｈ．ｉｔｏ＠・・ｊｐ．ｃｏｍ”を取得し、電子メールで納品通知を発信する。
【００７６】
図７は、電子メールによる納品通知の文面の一例を示す図である。
【００７７】
図７に示す電子メールを受け取った購入依頼者は、この納品通知に応じてその物品を受け取りに行く旨を応答する受信確認応答を行い、応答受信部１３（図３参照）は、購入依頼者の端末からの受信確認応答を受信する（ステップＳ０３）。
【００７８】
次に、ステップＳ０４では、購入依頼者が所定時間（例えば３０分）以内に納品物置場に物品を受け取りにきた場合に、個人認証部１４は、受取人の操作に応じて、その受取人の識別情報を入力し個人認証を行う。この識別情報入力は、受取人が所持しているＩＤカード１５０を納品処理装置１００に接続されている識別情報入力装置１４０（図３参照）に挿通することにより行われる。個人認証部１４は、その入力された識別情報を人事マスタ４０１（図６参照）に登録されている人事情報と照合することにより本人認証を行う（ステップＳ０４）。
【００７９】
次に、検収依頼送信部１５（図３参照）は、該物品の受取りが完了した旨を上記メモリに記録するとともに、該受取人の端末に該物品の検収を依頼する旨の検収依頼を、先に作成した検収処理用の電子伝票とともに送信する（ステップＳ０５）。
【００８０】
図８は、第１の実施形態における検収処理依頼の電子メールの文面の一例を示す図である。
【００８１】
図８に示す検収処理依頼の電子メールを受信した受取人は、受け取った物品の内容を確認するとともに、添付されてきた電子伝票を検収処理し（ステップＳ０６）、所属長に回送する。所属長は、回送されてきた電子伝票を検分し承認する（ステップＳ０７）。
【００８２】
なお、ステップＳ０６、ステップＳ０７およびそれ以降の処理は本発明の納品処理システムの主題から外れるので説明を省略する。
【００８３】
次に、本発明の第２の実施形態の納品処理システムについて説明する。
【００８４】
この第２の実施形態は、前述の第１の実施形態の納品処理システム（図５参照）と次の点で相違している。
（１）．この第２の実施形態の納品処理システムは、人事マスタ４０１（図３参照）は、購入依頼者に関する情報のほかに該購入依頼者の属するグループの構成員に関する人事情報をも記憶するようになっている。
（２）．また、納品通知送信部１２（図３参照）が上記購入依頼者の端末に納品通知を送信してから所定時間（例えば１時間）以内に、応答受信部１３への該納品通知に対する受信確認応答がなかった場合、又は、受信確認応答があっても、納品通知送信部１２が購入依頼者の端末に納品通知を送信してから所定時間（例えば１時間）以内に、人事マスタ４０１（図３参照）に記憶されている該購入依頼者の属するグループの構成員のうちの該購入依頼者以外の代理人の端末に上記物品が納品された旨の納品通知を再送信し、該納品通知の再送信を受け取った上記代理人からの受信確認応答を応答受信部１３が受信したときは、該代理人の端末に対して上記物品の受取を指示する受取指示を送信するとともに、該代理人以外の他の構成員の端末に対して該物品の受取りは不要である旨の受取不要通知を送信するものであり、さらに、上記受取指示を送信してから所定時間（例えば３０分）以内に、個人認証部１４による該代理人の認証が得られなかった場合には、該代理人以外の他の構成員の端末に該物品が納品された旨の納品通知を再び送信する納品通知再送信部１２ａを有している。
（３）．また、検収依頼送信部１５（図３参照）は、個人認証部１４により、上記納品通知に対する受信確認応答に記録されている受取人についての認証が得られた場合に、該受取人が上記購入依頼者本人である場合には該購入依頼者の端末に上記物品の検収を依頼する旨の検収依頼を送信し、該受取人が上記購入依頼者の代理人である場合には該代理人の端末に上記物品の検収を依頼する旨の検収依頼を送信するようになっている。
【００８５】
図９は、第２の実施形態の納品処理システムの動作の概略を示すフローチャートである。
【００８６】
本実施形態では、購入依頼者が購入を依頼した物品２０が、指定された受渡場所２２ｃ（図４参照）に搬入されると、納品処理装置１００（図３参照）の納品情報記録部１１は、納品情報読取装置１３０により、物品２０に添付されているＩＣタグ２１（図３参照）から納品情報（図４参照）を読み取り、その納品情報に基づき検収処理用の電子伝票を作成するとともに、上記納品管理ファイルの記録内容を更新する（ステップＳ１１）。
【００８７】
次に、納品通知送信部１２は、上記納品情報（図４参照）に基づき該物品の購入依頼者２２ｎ、すなわち図４に示した例では、“Ａ部）伊藤  博一”に、依頼の物品（物品名：“◎■▽●”）が納品された旨の納品通知を送信する（ステップＳ１２）。納品通知を送信するため、納品通知送信部１２は、図６に示す人事マスタ４０１を参照して上記購入依頼者：“Ａ部）伊藤  博一”の電子メールアドレス：“ｈ．ｉｔｏ＠・・ｊｐ．ｃｏｍ”を取得し、電子メールで納品通知を発信する。その文面は図７に示した通りである。
【００８８】
電子メールを受け取った購入依頼者は、上記電子メールを受信したことおよび物品を受け取りに行く旨の受信確認応答を行うが、納品通知送信部１２は、上記納品通知を送信してから所定時間（例えば１時間）以内に、応答受信部１３（図３参照）に上記納品通知に対する受信確認応答が有ったか無かったかの判定を行い（ステップＳ１３）、判定の結果、応答が無かった場合にはステップＳ１５に進み納品通知の再送信処理を行う。納品通知の再送信の文面の一例を次に示す。
【００８９】
図１０は、第２の実施形態における納品通知の再送信メールの文面の一例を示す図である。
【００９０】
図１０に示すように、この再送信メールは、購入依頼者である“Ａ部）石川  一夫  殿”および購入依頼者の属するグループの構成員、すなわち、“Ａ部）Ｄグループ  各位”宛に送信される。
【００９１】
ステップＳ１３における判定の結果、応答が有った場合にはステップＳ１４に進む。
【００９２】
ステップＳ１４では、購入依頼者が所定時間（例えば３０分）以内に、個人認証部１４による該購入依頼者の認証が得られたか否かが判定される（ステップＳ１４）。購入依頼者の認証は、納品物置場に物品を受け取りに来た受取人が識別情報入力装置１４０（図３参照）にＩＤカード１５０を挿通し、個人認証部１４が、ＩＤカード１５０から読み取った識別情報を人事マスタ４０１（図６参照）に登録されている人事情報と照合することにより行われる。この購入依頼者の認証が得られたことをもって当該物品が受け取られたものと判定される。ここで、所定時間以内に認証が得られなかった場合にはステップＳ１５に進む。一方、所定時間以内に認証が得られた場合にはステップＳ２１に進み、電子メールによる検収処理依頼が行われる。ステップＳ２１における検収処理依頼については後述する。
【００９３】
ステップＳ１５では、納品通知の再送信処理が行われる。
【００９４】
本実施形態の納品処理システムは、納品通知送信部１２の中に納品通知再送信部１２ａを有しており、納品通知の再送信処理は、この納品通知再送信部１２ａにより行われる。すなわち、人事マスタ４０１（図３参照）に記憶されている当該購入依頼者の属するグループの構成員のうちの該購入依頼者以外の代理人の端末に上記物品が納品された旨の納品通知の再送信が行われる。応答受信部１３（図３参照）が、上記納品通知の再送信を受け取った上記代理人からの受信確認応答を受信したときは、該代理人の端末に対して上記物品の受取を指示する受取指示を再送信する。この再送信は所定時間以内に応答が有るまで続けられる（ステップＳ１６）。
【００９５】
ステップＳ１６において所定時間以内の応答が有ったときはステップＳ１７に進むが、所定時間以内に応答が無かったときはステップＳ１５に戻り再送信を行う。
【００９６】
なお、ステップＳ１６において複数の応答が有ったときはステップＳ１７において、応答の着信順に順位を付し、第２応答者以降の応答者に対しては電子メールにより該物品の受取りは不要である旨の受取不要通知を送信する（ステップＳ１８）。
【００９７】
次に、第１応答者に対し、電子メールにより受取指示を送信する（ステップＳ１９）。
【００９８】
図１１は、第２の実施形態における第１応答者に対する受取指示の電子メールの文面例である。
【００９９】
図１１には、購入依頼者の代理人である第１応答者：“Ａ部）鎌倉  三雄”宛に “Ａ部）石川  一夫”が購入依頼した物品：“▽▽▽▽”の受け取りを依頼する旨が記載された受取指示が示されている。
【０１００】
図１２は、第２の実施形態における第２応答者以降の応答者に、受取り不要である旨を通知する電子メールの文面例である。
【０１０１】
図１２には、購入依頼者の代理人である第２応答者：“Ａ部）室町  慶二”宛に “Ａ部）石川  一夫”が購入依頼した物品：“▽▽▽▽”の受け取りは不要です。受取りは、鎌倉  三雄  殿の請負です。”と記載された受取不要通知の文面が示されている。
【０１０２】
納品通知再送信部１２ａは、上記受取指示を送信してから所定時間（例えば１時間）以内に、個人認証部１４による該代理人の認証が得られなかった場合には、該代理人以外の他の構成員の端末に該物品が納品された旨の納品通知を再び送信する（ステップＳ２０）。上記所定時間以内に、該代理人の認証が得られた場合には、ステップＳ２１に進む。
【０１０３】
ステップＳ２１では、検収依頼送信部１５は、上記納品通知に対する受信確認応答に記録されている受取人についての認証が得られており、該受取人が上記購入依頼者本人である場合には該購入依頼者の端末に上記物品の検収を依頼する旨の検収依頼を送信し、該受取人が上記購入依頼者の代理人である場合には該購入依頼者および該代理人の双方に上記物品の検収を依頼する旨の検収依頼を送信する（ステップＳ２１〜Ｓ２３）。
【０１０４】
図１３は、第２の実施形態における検収処理依頼の電子メールの文面の一例を示す図である。
【０１０５】
図１３に示す検収処理依頼の電子メールを受信した購入依頼者又はその代理人は、受け取った物品の内容を確認するとともに、添付されてきた電子伝票を検収処理し、所属長に回送する。所属長は、回送されてきた電子伝票を検分し承認する（ステップＳ２４，Ｓ２５）。
【０１０６】
なお、ステップＳ２４，Ｓ２５で行われるウエブでの電子検収処理およびそれ以降の処理は本発明のテーマから外れるので説明は省略する。
【０１０７】
次に、本発明の第３の実施形態について説明する。
【０１０８】
この第３の実施形態の納品処理システムは、前述の第２の実施形態の納品処理システム（図９参照）と次の点で相違している。
（１）．この第３の実施形態の納品処理システムでは、応答受信部１３（図３参照）は、物品の受取りが予定されている受取予定日時が記録されている受信確認応答を受信するようになっている。
（２）．また、納品通知再送信部１２ａ（図３参照）は、第２の実施形態では、受取指示を送信してから所定時間以内に、代理人の認証が得られたか否かを判定しその結果に基づき納品通知を再送信するようになっているが、第３の実施形態では、受取指示を送信してから上記受取予定日時までに、代理人の認証が得られたか否かを判定しその結果に基づき納品通知を再送信するようになっている。
【０１０９】
次に、第３の実施形態の納品処理システムの動作について説明する。
【０１１０】
図１４は、第３の実施形態の納品処理システムの動作の概略を示すフローチャートである。
【０１１１】
本実施形態では、購入依頼者が購入を依頼した物品２０が、指定された受渡場所２２ｃ（図４参照）に搬入されると、納品処理装置１００（図３参照）の納品情報記録部１１は、納品情報読取装置１３０により、物品２０に添付されているＩＣタグ２１（図３参照）から納品情報（図４参照）を読み取り、その納品情報に基づき検収処理用の電子伝票を作成するとともに上記納品管理ファイルの記録内容を更新する（ステップＳ３１）。
【０１１２】
次に、納品通知送信部１２は、上記納品情報（図４参照）に基づき該物品の購入依頼者２２ｎ、すなわち図４に示した例では、“Ａ部）伊藤  博一”に、依頼の物品（物品名：“◎■▽●”）が納品された旨の納品通知を送信する（ステップＳ３２）。納品通知を送信するため、納品通知送信部１２は、図６に示す人事マスタ４０１を参照して上記購入依頼者：“Ａ部）伊藤  博一”の電子メールアドレス：“ｈ．ｉｔｏ＠・・ｊｐ．ｃｏｍ”を取得し、電子メールで納品通知を発信する。その文面は図７に示した通りである。
【０１１３】
電子メールを受け取った購入依頼者は、上記電子メールを受信したことの受信確認およびその物品をいつまでに受け取りに行くかを明記して応答する。
【０１１４】
図１５は、第３の実施形態における物品の受取回答の電子メールの文面の一例である。
【０１１５】
本実施形態では、この電子メールの文面には、“０４/０２  １１：００までに受け取ります。”というように、受取人によって設定された受取予定日時が記載されている。
【０１１６】
納品通知送信部１２は、上記受取予定日時までに、応答受信部１３（図３参照）に上記納品通知に対する受信確認応答が有ったか無かったかの判定を行い（ステップＳ３３）、判定の結果、応答が無かった場合にはステップＳ３５に進み、納品通知の再送信処理を行う。納品通知の再送信の文面は図１０に示した通りである。
【０１１７】
ステップＳ３３における判定の結果、応答が有った場合にはステップＳ３４に進むことになるが、ここで、ステップＳ３４に進む前に破線で示したステップＳ３３’において受取予定日時を職場のグループウエア・電子スケジュールに入力して納品物の受取状況を管理するようにしてもよい。
【０１１８】
図１６は、納品物受取状況を表示する画面の一例を示す図である。
【０１１９】
図１６には、コンピュータ１００のディスプレイ１０２（図１参照）の画面６０に表示された納品物受取状況の表示画面の一例が示されている。すなわち、この画面６０には納品された物品の受取記録６１、購入依頼者６２、品名６３、仕様６４、仮置き棚Ｎｏ．６５が表示される。受取記録６１は、未受取／既受取の別６１ａ、（予定）受取人６１ｂ、および受取予定日時６１ｃからなっている。
【０１２０】
図１７は、納品物受取状況を表示する画面の他の一例を示す図である。
【０１２１】
図１７には、図１６に示した画面の表示日付の翌日の納品物受取状況が示されている。このように、最新の納品物受取状況を画面上に表示することによりグループ内での情報の共有化を図ることができる。
【０１２２】
図１４におけるステップＳ３４以降の各ステップは、ステップＳ３６を除き、図９を参照して説明した、第２の実施形態におけるステップＳ１４以降の各ステップと同様であるので説明は省略する。
【０１２３】
なお、第２の実施形態では、ステップＳ１６で所定時間（例えば１時間）以内に応答が有ったか否かを判定しているが、第３の実施形態のステップＳ３６では、前述の受取予定日時以内に応答が有ったか否かを判定している。また、ステップＳ３９からステップＳ４０に進む前に破線で示したステップＳ３９’において受取予定日時を職場のグループウエア・電子スケジュールに入力するようにしてもよい。このように物品の予定受取時間を職場のグループウェア・電子スケジュールに入力することにより、納入された物品に関するグループ内の情報の共有化を図ることができる。
【０１２４】
次に、本発明の納品処理プログラムについて説明する。
【０１２５】
図１８は、本発明の納品処理プログラムの概略構成図である。
【０１２６】
図１８に示すように、この納品処理プログラム５０は、納品情報記録部５１と、納品通知送信部５２と、応答受信部５３と、個人認証部５４と、検収依頼送信部５５とを有し、コンピュータ１００（図１参照）を納品処理装置１００（図３参照）として動作させるものである。
【０１２７】
納品情報記録部５１は、所定の納品物置場に納入される物品２０（図３参照）に添付されているＩＣタグ２１に記憶された納品情報２２（図４参照）を読み取り、所定のメモリ（ＲＡＭ２１２およびハードディスク６００：図２参照）に記録するものである。
【０１２８】
納品通知送信部５２は、上記メモリに記録された納品情報に基づき該物品の購入依頼者の端末に該物品が納品された旨の納品通知を送信するものである。
【０１２９】
応答受信部５３は、上記納品通知を受け取った購入依頼者の端末からの、該納品通知に応じて上記物品を受け取りに行く旨の受信確認応答を受信するものである。
【０１３０】
個人認証部５４は、操作に応じて、上記納品物置場に物品を受け取りに来た受取人の識別情報を入力し、該識別情報を、通信回線を介して接続されたサーバに備えられた人事マスタに登録されている、物品の購入を依頼した購入依頼者に関する情報を含む人事情報と照合することにより該受取人の個人認証を行うものである。
【０１３１】
検収依頼送信部５５は、個人認証部５４による認証が得られた場合に該物品の受取りが完了した旨を上記メモリに記録するとともに、該受取人の端末に該物品の検収を依頼する旨の検収依頼を送信するものである。
【０１３２】
この納品処理プログラム５０は、例えば、ＣＤ６０２（図２参照）に記録されており、そのＣＤ６０２を図１に示すコンピュータ１００のＣＤ装填口１０１ｂに装填してハードディスク６００にインストールする。インストールされた納品処理プログラム５０は、必要に応じてＲＡＭ２１２上に読み出されて納品処理装置としての動作を開始する。
【０１３３】
以下に、本発明の各種態様を付記する。
【０１３４】
（付記１）
人事情報が登録された人事マスタを有するサーバ、および
通信回線を介して前記サーバに接続された、
物品に添付されているＩＣタグに記憶された該物品の購入依頼者を含む該物品の納品に関する納品情報を読み取り所定のメモリに記録する納品情報記録部と、
前記メモリに記録された納品情報に基づき該物品の購入依頼者の端末に納品通知を送信する納品通知送信部と、
前記納品通知を受け取った購入依頼者の端末から受信確認応答を受信する応答受信部と、
受取人の識別情報を取得し、該識別情報を、前記人事マスタに登録されている人事情報と照合することにより該受取人の個人認証を行う個人認証部と、
前記個人認証部による認証が得られた場合に該物品の受取りが完了した旨を前記メモリに記録するとともに、該受取人の端末に該物品の検収依頼を送信する検収依頼送信部とを有するクライアントを備えたことを特徴とする納品システム。（１）
【０１３５】
（付記２）
前記納品通知送信部は、該納品通知送信部が前記購入依頼者の端末に納品通知を送信してから所定時間以内に、前記応答受信部への該納品通知に対する受信確認応答がなかった場合、または、該受信確認応答があっても、前記納品通知送信部が該購入依頼者の端末に納品通知を送信してから所定時間以内に、前記個人認証部による該購入依頼者の認証が得られなかった場合には、該購入依頼者の端末に該納品通知を送信するものであることを特徴とする付記１記載の納品システム。（２）
【０１３６】
（付記３）
前記人事マスタは、該購入依頼者の属するグループの構成員に関する人事情報をも記憶するものであり、
前記納品通知送信部は、該納品通知送信部が前記購入依頼者の端末に納品通知を送信してから所定時間以内に、前記応答受信部への該納品通知に対する受信確認応答がなかった場合、又は、該受信確認応答があっても、前記納品通知送信部が該購入依頼者の端末に納品通知を送信してから所定時間以内に、前記個人認証部による該購入依頼者の認証が得られなかった場合には、前記人事マスタに記憶されている該購入依頼者の属するグループの構成員のうちの、該購入依頼者と該購入依頼者以外の少なくとも一人の構成員とを含む所定の複数の構成員の各端末に納品通知を送信するものであることを特徴とする付記１記載の納品システム。（３）
【０１３７】
（付記４）
前記応答受信部は、物品の受取予定日時が記録されている受信確認応答を受信するものであり、
前記納品通知送信部は、該納品通知送信部が前記購入依頼者の端末に納品通知を送信してから所定時間以内に、前記応答受信部への該納品通知に対する受信確認応答がなかった場合、又は該受信確認応答があっても、該受信確認応答に記録されている受取予定日時を過ぎても前記個人認証部による該購入依頼者の認証が得られなかった場合には、該購入依頼者の端末に該納品通知を送信するものであることを特徴とする付記１記載の納品システム。
【０１３８】
（付記５）
前記人事マスタは、前記購入依頼者の属するグループの構成員に関する人事情報をも記憶するものであり、
前記応答受信部は、物品の受取予定日時が記録されている受信確認応答を受信するものであって、
前記納品通知送信部は、該納品通知送信部が前記購入依頼者の端末に納品通知を送信してから所定時間以内に、前記応答受信部への該納品通知に対する受信確認応答がなかった場合、又は、該受信確認応答があっても、前記個人認証部による該購入依頼者の認証が得られないまま該受信確認応答に記録されている受取予定日時を過ぎた場合には、前記人事マスタに記憶されている該購入依頼者の属するグループの構成員のうちの、該購入依頼者と該購入依頼者以外の少なくとも一人の構成員とを含む所定の複数の構成員の各端末に前記物品が納品された旨の納品通知を送信するものであることを特徴とする付記１記載の納品システム。
【０１３９】
（付記６）
前記納品通知送信部は、前記応答受信部が前記複数の構成員のうちの少なくとも一人の構成員の端末からの受信確認応答を受信したときは、該受信確認応答を送信した端末のうちの１台の端末に前記物品の受取りを指示する受取指示を送信するとともに、該複数の構成員のうちの、該１台の端末を除く端末には、該物品の受取不要通知を送信するものであることを特徴とする付記３又は付記５記載の納品システム。
【０１４０】
（付記７）
前記納品通知送信部は、前記個人認証部により、前記１台の端末に対応する構成員についての認証が得られた場合に、該構成員が前記購入依頼者本人である場合には該購入依頼者の端末に前記物品の検収を依頼する旨の検収依頼を送信し、該構成員が該購入依頼者以外の構成員である場合には該構成員の端末と該購入依頼者の端末との双方に該検収依頼を送信するものであることを特徴とする付記６記載の納品システム。
【０１４１】
（付記８）
前記納品通知送信部が送信する納品通知、前記応答受信部が受信する受信確認応答、および前記検収依頼送信部が送信する検収依頼が電子メールにより送受信されるものであることを特徴とする付記１記載の納品システム。
【０１４２】
（付記９）
物品に添付されているＩＣタグに記憶された該物品の購入依頼者を含む該物品の納品に関する納品情報を読み取り所定のメモリに記録する納品情報記録部と、
前記メモリに記録された納品情報に基づき該物品の購入依頼者の端末に納品通知を送信する納品通知送信部と、
前記納品通知を受け取った購入依頼者の端末からの受信確認応答を受信する応答受信部と、
受取人の識別情報を取得し、該識別情報を、通信回線を介して接続されたサーバに備えられた人事マスタに登録されている人事情報と照合することにより該受取人の個人認証を行う個人認証部と、
前記個人認証部による認証が得られた場合に該物品の受取りが完了した旨を前記メモリに記録するとともに、該受取人の端末に該物品の検収依頼を送信する検収依頼送信部とを有することを特徴とする納品処理装置。（４）
【０１４３】
（付記１０）
コンピュータを、
物品に添付されているＩＣタグに記憶された該物品の購入依頼者を含む該物品の納品に関する納品情報を読み取り所定のメモリに記録する納品情報記録部と、
前記メモリに記録された納品情報に基づき該物品の購入依頼者の端末に納品通知を送信する納品通知送信部と、
前記納品通知を受け取った購入依頼者の端末から受信確認応答を受信する応答受信部と、
受取人の識別情報を取得し、該識別情報を、通信回線を介して接続されたサーバに備えられた人事マスタに登録されている人事情報と照合することにより該受取人の個人認証を行う個人認証部と、
前記個人認証部による認証が得られた場合に該物品の受取りが完了した旨を前記メモリに記録するとともに、該受取人の端末に該物品の検収依頼を送信する検収依頼送信部とを有する納品処理装置として動作させることを特徴とする納品処理プログラム。（５）
【図面の簡単な説明】
【０１４４】
【図１】本発明の一実施形態としての納品処理装置を構成するコンピュータと、それらの納品処理装置に人事情報を提供するサーバを構成するコンピュータとを含むクライアントアンドサーバシステムを示す全体構成図である。
【図２】図１に外観を示したコンピュータのハードウェア構成図である。
【図３】図１に示すクライアントアンドサーバシステムを利用した納品システム／納品処理装置の概要図である。
【図４】本発明の各実施形態の納品処理システムに共通の納品情報を示す図である。
【図５】本発明の第１の実施形態の納品処理システムの動作の概略を示すフローチャートである。
【図６】第１の実施形態の納品処理システムに用いられる人事マスタの内容を示す図である。
【図７】電子メールによる納品通知の文面の一例を示す図である。
【図８】第１の実施形態における検収処理依頼の電子メールの文面の一例を示す図である。
【図９】第２の実施形態の納品処理システムの動作の概略を示すフローチャートである。
【図１０】第２の実施形態における納品通知の再送信メールの文面の一例を示す図である。
【図１１】第２の実施形態における第１応答者に対する受取指示の電子メールの文面例である。
【図１２】第２の実施形態における第２応答者以降の応答者に、受取り不要である旨を通知する電子メールの文面例である。
【図１３】第２の実施形態における検収処理依頼の電子メールの文面の一例を示す図である。
【図１４】第３の実施形態の納品処理システムの動作の概略を示すフローチャートである。
【図１５】第３の実施形態における物品の受取回答の電子メールの文面の一例である。
【図１６】納品物受取状況を表示する画面の一例を示す図である。
【図１７】納品物受取状況を表示する画面の他の一例を示す図である。
【図１８】本発明の納品処理プログラムの概略構成図である。
【符号の説明】
【０１４５】
１１    納品情報記録部
１２    納品通知送信部
１２ａ    納品通知再送信部
１３    応答受信部
１４    個人認証部
１５    検収依頼送信部
２０    物品
２１    ＩＣタグ
２２    納品情報
２２ａ    発注者
２２ｂ    受注者
２２ｃ    受渡場所
２２ｄ    注文番号
２２ｅ    品名
２２ｆ    品名コード
２２ｇ    出荷日
２２ｈ    納入（予定）日
２２ｉ    納期
２２ｊ    注文数量
２２ｋ    納入指示数量
２２ｌ    納入数量
２２ｍ    数量単位
２２ｎ    購入依頼者
５０    納品処理プログラム
５１    納品情報記録部
５２    納品通知送信部
５３    応答受信部
５４    個人認証部
５５    検収依頼送信部
６０    画面
６１    受取記録
６１ａ    未受取／既受取の別
６１ｂ    受取人
６１ｃ    受取予定日時
６２    購入依頼者
６３    品名
６４    仕様
６５    仮置き棚Ｎｏ．
１００，２００，３００，４００    コンピュータ、納品処理装置
１０１ｂ    ＣＤ装填口
１０１，２０１，３０１，４０１    本体部
１０１ａ，２０１ａ，３０１ａ，４０１ａ    ＭＯ装填口
１０２ａ，２０２ａ，３０２ａ，４０２ａ    表示画面
１０３，２０３，３０３，４０３    キーボード
１０４，２０４，４０４    マウス
１１０    バス
１１１    ＣＰＵ
１１２    ＲＡＭ
１１３    ハードディスクコントローラ
１１４    ＭＯドライブ
１１５    ＣＤ／ＤＶＤドライブ
１１６    マウスコントローラ
１１７    キーボードコントローラ
１１８    ディスプレイコントローラ
１１９    通信用ボード
１２０    入出力制御ボード
１３０    納品情報読取装置
１４０    識別情報入力装置
１５０    ＩＤカード
２１２    ＲＡＭ
３０４    トラックパッド
４００    サーバ
４０１    人事マスタ
４０１    人事マスタ
４０１ａ    所属
４０１ｂ    氏名
４０１ｃ    電子メールアドレス
４０１ｄ    電話番号
５００    通信回線
６００    ハードディスク
６０１    ＭＯ
６０２    ＣＤ／ＤＶＤ
【図１】
2008052339.tif 000003
【図２】
2008052339.tif 000004
【図３】
2008052339.tif 000005
【図４】
2008052339.tif 000006
【図５】
2008052339.tif 000007
【図６】
2008052339.tif 000008
【図７】
2008052339.tif 000009
【図８】
2008052339.tif 000010
【図９】
2008052339.tif 000011
【図１０】
2008052339.tif 000012
【図１１】
2008052339.tif 000013
【図１２】
2008052339.tif 000014
【図１３】
2008052339.tif 000015
【図１４】
2008052339.tif 000016
【図１５】
2008052339.tif 000017
【図１６】
2008052339.tif 000018
【図１７】
2008052339.tif 000019
【図１８】
2008052339.tif 000020